(57)【特許請求の範囲】
【請求項１】
被写体の撮像画像が表示されるモニタと、
上記被写体の撮像に関する第１パラメータの補正をする第１補正手段と、
上記撮像画像の画像処理に関する第２パラメータの補正をする第２補正手段と、
上記第１補正手段による上記第１パラメータの補正量に基づいて上記第２パラメータの補正量を決定し上記第２補正手段に上記第２パラメータの補正を実行させる自動補正制御手段と、
補正された上記第２パラメータの修正量を操作者に指定させる修正量指定手段と、
上記修正量指定手段により指定された修正量に基づいて補正後の上記第２パラメータを修正する修正制御手段と、を有し、
上記モニタは、正面視矩形であって、
上記モニタの一辺の側部に上記第１パラメータを表示するインジケータが表示され、上記一辺に直交する他辺の側部に上記第２パラメータを表示するインジケータが表示され、
上記自動補正制御手段は、補正した上記第２パラメータを上記モニタに表示させる、ことを特徴とする撮像装置。
【請求項２】
上記第１パラメータの補正量から上記第２パラメータの補正量を算出するための算出基礎情報が記憶されている記憶手段を備え、
上記自動補正制御手段は、上記第１パラメータの補正量と上記記憶手段に記憶されている上記算出基礎情報に基づいて上記第２パラメータの補正量を決定する、
請求項１記載の撮像装置。
【請求項３】
上記自動補正制御手段は、上記第１補正手段による上記第１パラメータの補正が実行されたときに、補正後の上記第１パラメータと補正後の上記第２パラメータに基づく新たな撮像画像を生成して上記モニタに表示させる、
請求項１または２に記載の撮像装置。
【請求項４】
上記修正量指定手段は、上記撮像装置が備える操作部の操作に応じて上記第２パラメータの修正量を取得する請求項１乃至３のいずれかに記載の撮像装置。
【請求項５】
上記モニタはタッチパネル式であって、
上記修正量指定手段は、上記モニタの表面上のタッチ位置に応じて上記第２パラメータの修正量を取得する、
請求項１乃至４のいずれかに記載の撮像装置。
【請求項６】
上記修正量指定手段は、上記インジケータのタッチ位置に応じて上記第２パラメータの修正量を取得する、
請求項５記載の撮像装置。
【請求項７】
上記第１パラメータの補正量を操作者に指定させる補正量指定手段を備え、
上記モニタの左右いずれか一方の上下方向に別のインジケータが表示され、
上記補正量指定手段は、上記別のインジケータのタッチ位置に応じて上記第１パラメータの補正量を取得する、
請求項５または６に記載の撮像装置。
【請求項８】
上記第１パラメータは露光量であり、
上記第２パラメータは色味量であり、
上記自動補正制御手段は、上記露光量が暗くなるように上記第１補正手段が補正をするときには、赤味が強調されるように上記色味量の補正を上記第２補正手段に実行させる、
請求項１乃至７のいずれかに記載の撮像装置。
【請求項９】
上記第１パラメータは露光量であり、
上記第２パラメータは色味量であり、
上記自動補正制御手段は、上記露光量が所定以上に明るくなるように上記第１補正手段が補正をするときには、青味が強調されるように上記色味量の補正を上記第２補正手段に実行させる、
請求項１乃至７のいずれかに記載の撮像装置。
【請求項１０】
被写体の撮像画像が表示される正面視矩形のモニタを備えた撮像装置を、
上記被写体の撮影に関する第１パラメータの補正をする第１補正手段と、
上記撮像画像の画像処理に関する第２パラメータの補正をする第２補正手段と、
上記第１補正手段による上記第１パラメータの補正量に基づいて上記第２パラメータの補正量を決定し上記第２補正手段に上記第２パラメータの補正を実行させる自動補正制御手段と、
補正された上記第２パラメータの修正量を操作者に指定させる修正量指定手段と、
上記修正量指定手段により指定された修正量に基づいて補正後の上記第２パラメータを修正する修正制御手段と、して機能させ、
上記モニタの一辺の側部に上記第１パラメータを表示するインジケータを表示させ、上記一辺に直交する他辺の側部に上記第２パラメータを表示するインジケータを表示させ、
補正された上記第２パラメータを上記モニタに表示させる処理を上記自動補正制御手段に実行させる、
ことを特徴とする撮像プログラム。
【請求項１１】
被写体の撮像画像が表示される正面視矩形のモニタと、
上記被写体の撮影に関する第１パラメータの補正をする第１補正手段と、
上記撮像画像の画像処理に関する第２パラメータの補正をする第２補正手段と、
上記第１補正手段による上記第１パラメータの補正量に基づいて上記第２パラメータの補正量を決定し上記第２補正手段に上記第２パラメータの補正を実行させる自動補正制御手段と、
補正された上記第２パラメータの修正量を操作者に指定させる修正量指定手段と、
上記修正量指定手段により指定された修正量に基づいて補正後の上記第２パラメータを修正する修正制御手段と、
を備えた撮像装置による撮像方法であって、
上記第１パラメータの補正量を取得するステップと、
上記取得された第１パラメータの補正量に基づいて第２パラメータの補正量を決定するステップと、
上記取得された補正量に基づく上記第１パラメータの補正と上記決定された第２パラメータの補正量に基づく上記第２パラメータの補正を同時に実行するステップと、
補正された上記第２パラメータの修正量を操作者に指定させるステップと、
上記指定された修正量に基づいて補正後の上記第２パラメータを修正するステップと、
上記モニタの一辺の側部に上記第１パラメータを表示するインジケータを表示するステップと、
上記モニタの上記一辺に直交する他辺の側部に上記第２パラメータを表示するインジケータを表示するステップと、
補正した上記第２パラメータを上記モニタに表示するステップと、
を有してなることを特徴とする撮像方法。
【発明の詳細な説明】
【技術分野】
【０００１】
本発明は、撮影画像の表示を見ながら露出設定をすることができる撮像装置および撮像方法に関するものであって、露出補正に応じて生じる撮影画像の色味の変化を自動的に補正して表示し、かつ、利用者の操作に応じて撮影画像の露出と色味の補正を同一画面上で行うことができる撮像装置と撮像方法並びに撮像プログラムに関するものである。
【背景技術】
【０００２】
デジタルカメラなどの撮像装置において、被写体に応じて最適な撮影条件の設定等を容易に行うために「撮影シーン」を選択し設定できるものが知られている。また、従来から撮影状況や利用者の好みに応じて露出設定やホワイトバランス設定を変更することができる撮像装置も知られている。これら従来の撮像装置は露出補正可能な範囲や、その設定単位は一律に設定されているので、撮影シーンによって異なる理想的な設定範囲や設定単位によって露出補正をすることができなかった。この課題を解決する撮像装置として、撮影シーンに応じて最適な露出補正をするために、露出の設定に用いる補正量の範囲と設定単位を撮影シーンによって可変させることができる撮像装置が知られている（例えば、特許文献１を参照）。
【０００３】
近年の撮像装置は、被写体像を表示する表示装置を備えている。当該撮像装置を利用して撮影を行う者（以下、「利用者」という。）は、被写体の画像を表示装置にて確認した上で撮影することができる。また、利用者は表示装置に表示されている画像を確認しながら露出の補正をすることもできる。
【０００４】
一般にマイナス側に露出補正を行うと（画像を暗くすると）表示されている画像の見た目の印象は青みが強くなったように変化することが知られている。そこで、露出補正によって画像の明るさを変化させたときに、色味を補正する必要が生じることがある。この場合、利用者は露出補正を行った後に、色味補正操作を行うことによって、色味の補正をすることはできるが、操作が煩雑になる。すなわち、撮影する画像を表示させ、確認をしながら露出補正をすることはできても、それによって変化する色味を調整するには、設定画面を切り換える操作が必要になる。また、色味の調整によって再度露出の調整が必要になるときには、再度の設定画面切換操作等が必要となり、利用者は煩雑な操作を行う必要があった。
【発明の概要】
【発明が解決しようとする課題】
【０００５】
本発明は上記の課題に鑑みてなされたものであって、撮影画像の表示を見ながら露出設定をすることができて、露出補正に応じて生じる撮影画像の色味の変化を自動的に補正して表示し、かつ、利用者の操作に応じて撮影画像の露出と色味の補正を同一画面上で行うことができる撮像装置と撮像方法並びに撮像プログラムを提供することを目的とする。
【課題を解決するための手段】
【０００６】
本発明に係る撮像装置は、被写体の撮像画像が表示されるモニタと、上記被写体の撮像に関する第１パラメータの補正をする第１補正手段と、上記撮像画像の画像処理に関する第２パラメータの補正をする第２補正手段と、上記第１補正手段による上記第１パラメータの補正量に基づいて上記第２パラメータの補正量を決定し上記第２補正手段に上記第２パラメータの補正を実行させる自動補正制御手段と、補正された上記第２パラメータの修正量を操作者に指定させる修正量指定手段と、上記修正量指定手段により指定された修正量に基づいて補正後の上記第２パラメータを修正する修正制御手段と、を有し、上記モニタは、正面視矩形であって、上記モニタの一辺の側部に上記第１パラメータを表示するインジケータが表示され、上記一辺に直交する他辺の側部に上記第２パラメータを表示するインジケータが表示され、上記自動補正制御手段は、補正した上記第２パラメータを上記モニタに表示させる、ことを最も主な特徴とする。
【発明の効果】
【００２２】
本発明によれば、露出補正によって撮影画像の色味が変化しても、その変化を打ち消すように自動的に色味の設定を変更することができる。また、露出補正と色味の補正を同一表示画面上で行い、撮影条件に係るパラメータと画像処理に係るパラメータの最適な設定を容易に行うことができる。
【図面の簡単な説明】
【００２３】
【図１】本発明に係る撮像装置であるカメラの例を示す背面図である。
【図２】上記撮像装置の電気的制御系統の例を示す機能ブロック図である。
【図３】上記撮像装置の動作の例を示すフローチャートである。
【図４】上記撮像装置が備えるモニタに表示される被写体画像の例を示す模式図である。
【図５】上記撮像装置が備えるモニタに表示される画像補正設定画面の例を示す模式図である。
【図６】上記撮像装置が備える露出量と色味量の設定に用いるデータの例を示す図である。
【図７】上記画像補正設定画面の別の例を示す模式図である。
【図８】上記画像補正設定画面のさらに別の例を示す模式図である。
【発明を実施するための形態】
【００２４】
以下、本発明に係る撮像装置と撮像方法並びに撮像プログラムの実施の形態について図面を参照しながら説明する。図１は、本発明に係る撮像装置の例であるデジタルカメラの例を示す背面図である。図１において、撮像装置１の筐体であるカメラボディＣＢの背面には、光学ファインダ４の接眼部、ＡＦ用発光ダイオード（以下、発光ダイオードは「ＬＥＤ」という。）８、ストロボＬＥＤ９、ＬＣＤモニタ１０、電源スイッチ１３、広角方向ズームスイッチＳＷ３、望遠方向ズームスイッチＳＷ４、セルフタイマの設定および解除スイッチＳＷ５、メニュースイッチＳＷ６、上移動およびストロボセットスイッチＳＷ７、右移動スイッチＳＷ８、ディスプレイスイッチＳＷ９、下移動およびマクロスイッチＳＷ１０、左移動および画像確認スイッチＳＷ１１、ＯＫスイッチＳＷ１２が配置されている。また、カメラボディＣＢの上部には、シャッターボタンであるレリーズスイッチＳＷ１と、撮影モードの設定に用いるモードダイヤルＳＷ２が配置されている。
【００２５】
次に、本発明に係る撮像装置の機能ブロックの例について図２を用いて説明する。本発明に係る撮像装置の各種動作（処理）は、デジタル信号処理ＩＣ（集積回路）等として構成されるディジタルスティルカメラプロセッサ１０４（以下、単に「プロセッサ１０４」という。）で動作する本発明に係る撮像プログラムによって制御される。プロセッサ１０４は、第１のＣＣＤ（電荷結合素子）信号処理ブロック１０４−１、第２のＣＣＤ信号処理ブロック１０４−２、ＣＰＵ（中央処理ユニット）ブロック１０４−３、ローカルＳＲＡＭ（ＳＲＡＭ：スタティックランダムアクセスメモリ）１０４−４、ＵＳＢ（ユニバーサルシリアルバス）ブロック１０４−５、シリアルブロック１０４−６、ＪＰＥＧコーデック（ＣＯＤＥＣ）ブロック１０４−７、リサイズ（ＲＥＳＩＺＥ）ブロック１０４−８、ＴＶ信号表示ブロック１０４−９、およびメモリカードコントローラブロック１０４−１０を有してなる。これら各ブロックは相互にバスラインで接続されている。
【００２６】
プロセッサ１０４の外部には、ＲＡＷ−ＲＧＢ画像データ、ＹＵＶ画像データおよびＪＰＥＧ画像データを保存するためのＳＤＲＡＭ（シンクロナスランダムアクセスメモリ）１０３、ＲＡＭ１０７、内蔵メモリ１２０および制御プログラムが格納されたＲＯＭ１０８が配置されており、これらはバスラインを介してプロセッサ１０４に接続されている。
【００２７】
鏡胴ユニット７は、ズーム（ＺＯＯＭ）レンズ７−１ａを有するズーム光学系７−１、フォーカス（ＦＯＣＵＳ）レンズ７−２ａを有するフォーカス光学系７−２、絞り７−３ａを有する絞りユニット７−３およびメカニカルシャッタ（メカシャッタ）７−４ａを有するメカシャッタユニット７−４、を備えている。ズーム光学系７−１、フォーカス光学系７−２、絞りユニット７−３およびメカシャッタユニット７−４はそれぞれズーム（ＺＯＯＭ）モータ７−１ｂ、フォーカスレンズ移動手段としてのフォーカス（ＦＯＣＵＳ）モータ７−２ｂ、絞りモータ７−３ｂおよびメカシャッタモータ７−４ｂによって駆動される。これらズームモータ７−１ｂ、フォーカスモータ７−２ｂ、絞りモータ７−３ｂおよびメカシャッタモータ７−４ｂの各モータはモータドライバ７−５によって駆動され、モータドライバ７−５はプロセッサ１０４のＣＰＵブロック１０４−３によって動作が制御される。
【００２８】
鏡胴ユニット７のズームレンズ７−１ａおよびフォーカスレンズ７−２ａは、撮像素子であるＣＣＤ１０１の撮像面上に被写体の光学像を結像するための撮像レンズを構成する。ＣＣＤ１０１は、撮像面上に結像した被写体光学像を電気的な画像信号に変換してＦ／Ｅ−ＩＣ（フロントエンドＩＣ）１０２に入力する。
【００２９】
Ｆ／Ｅ−ＩＣ１０２は、ＣＤＳ（相関２重サンプリング部）１０２−１、ＡＧＣ（自動利得制御部）１０２−２およびＡ／Ｄ（アナログ−デジタル）変換部１０２−３を有し、被写体光学像から変換された画像信号にそれぞれ所定の処理を施して、デジタル画像データに変換する。このデジタル画像データは、プロセッサ１０４の第１のＣＣＤ信号処理ブロック１０４−１に入力される。これらの信号処理動作は、プロセッサ１０４のＣＣＤ信号処理ブロック１０４−１から出力されるＶＤ信号（垂直駆動信号）とＨＤ信号（水平駆動信号）により、ＴＧ（タイミングジェネレータ）１０２−４を介して制御される。第１のＣＣＤ信号処理ブロック１０４−１は、ＣＣＤ１０１からＦ／Ｅ−ＩＣ１０２を経由して入力されたデジタル画像データに対して、ホワイトバランス調整およびγ調整等の画像処理を行うとともに、ＶＤ信号およびＨＤ信号を出力する。
【００３０】
プロセッサ１０４のＣＰＵブロック１０４−３は、音声記録回路１１５−１による音声記録動作を制御する。音声記録回路１１５−１は、マイクロホン（マイク）１１５−３で変換されマイクロホンアンプ（マイクＡＭＰ）１１５−２によって増幅した音声信号を、ＣＰＵブロック１０４−３の指令に応じて記録する。
【００３１】
また、ＣＰＵブロック１０４−３は、音声再生回路１１６−１の動作も制御する。音声再生回路１１６−１は、ＣＰＵブロック１０４−３の指令により、適宜なるメモリに記録されている音声信号をオーディオアンプ（オーディオＡＭＰ）１１６−２で増幅してスピーカー１１６−３に入力し、スピーカー１１６−３から音声を再生出力する。
【００３２】
また、ＣＰＵブロック１０４−３は、ストロボ回路１１４を制御して動作させることによってストロボ発光部３から照明光を発光させる。また、ＣＰＵブロック１０４−３は、被写体距離を測定する測距ユニット５の動作も制御する。
【００３３】
さらに、ＣＰＵブロック１０４−３は、プロセッサ１０４の外部に配置されたサブＣＰＵ（ＳＵＢ−ＣＰＵ）１０９にも結合されており、サブＣＰＵ１０９は、ＬＣＤドライバ１１１を介してサブＬＣＤ１による表示を制御する。また、サブＣＰＵ１０９は、ＡＦ用ＬＥＤ８、ストロボＬＥＤ９、リモコン受光部６、スイッチＳＷ１からスイッチＳＷ１３からなる操作部およびブザー１１３にもそれぞれ結合されている。
【００３４】
ＵＳＢブロック１０４−５は、ＵＳＢコネクタ１２２に結合される。シリアルブロック１０４−６は、シリアルドライバ回路１２３−１を介してＲＳ−２３２Ｃコネクタ１２３−２に結合される。
【００３５】
ＴＶ信号表示ブロック１０４−９は、ＬＣＤドライバ１１７を介してＬＣＤモニタ１０に結合され、また、ＴＶ信号表示ブロック１０４−９は、ビデオアンプ（ＡＭＰ）１１８を介してビデオジャック１１９にも結合される。
【００３６】
メモリカードコントローラブロック１０４−１０は、メモリカードスロット１２１のカード接点に結合されている。メモリカードがこのメモリカードスロット１２１に装填されると、メモリカードの接点に接触して電気的に接続され、装填されたメモリカードに画像ファイルを記憶する。
【００３７】
次に、本発明に係る撮像装置の動作の例について図３のフローチャートを用いて説明する。まず、電源スイッチ１３が操作されて撮像装置１の電源が投入されると、鏡胴ユニット７からなる撮像光学系を介して取得された被写体像がＣＣＤ１０１にて画像信号に変換されて、所定の画像処理が行われた後、ＬＣＤモニタ１０に表示される。この表示処理を「モニタリング」という（Ｓ１）。モニタリングが開始されたのちのＬＣＤモニタ１０の表示例を図４に示す。モニタリングが行われているときに、利用者によって例えばメニュースイッチＳＷ６が押下されると、図示しない操作メニューがＬＣＤモニタ１０に表示される。操作メニューが表示された状態で、スイッチＳＷ７・スイッチＳＷ８・スイッチＳＷ１０・スイッチＳＷ１１を操作することにより、所定の操作を選択し、・ＯＫスイッチＳＷ１２を操作することにより選択された操作による設定を保存することができる。以下、本実施例に係る撮像装置１において、ＬＣＤモニタ１０に表示されている画像の露出や色味を補正するメニューを「画像補正」メニューとして、説明する。
【００３８】
「画像補正」メニューが選択されると（Ｓ２）、ＬＣＤモニタ１０に画像補正情報が表示される（Ｓ３）。画像補正情報が表示された例を図５に示す。図５において、ＬＣＤモニタ１０には、第１パラメータである露出の補正量を示すインジケータＰ１が表示画面の右端に表示されている。また、第２パラメータである色味の補正量を示すインジケータＰ２が表示画面の下端に表示されている。図５においてインジケータＰ１は、露出の補正量を１３段階で可変させることができるようになっている。インジケータＰ１に表示されるカーソルＣ１は、現在の露出量を示す位置に表示されている。カーソルＣ１がインジケータＰ１のちょうど中間にあるとき、露出補正量を±０［ＥＶ］とする。また、インジケータＰ１は上方向がプラス補正、下方向がマイナス補正とする。例えば、露出量を０．５［ＥＶ］単位で変化させることができるならば、インジケータＰ１の最上位にカーソルＣ１があるときの露出量が＋３．０［ＥＶ］となる。また、インジケータＰ１の最下位にカーソルＣ１があるときの露出量が−３．０［ＥＶ］となる。すなわち、カーソルＣ１がインジケータＰ１の中間位置よりも上にあれば、表示されている画像が明るくなり、カーソルＣ１がインジケータＰ１の中間位置よりも下にあれば、表示されている画像が暗くなる。
【００３９】
また、図５においてインジケータＰ２は、色味量の補正を１３段階で可変させることができるようになっている。インジケータＰ２に表示されるカーソルＣ２は、現在の色味量を示す位置に表示されている。カーソルＣ２がインジケータＰ２のちょうど中間にあるとき、色味補正量を１倍とする。また、インジケータＰ２は右方向が赤味補正、左方向が青味補正とする。例えば、色味量を０．２倍単位で変化させることができるならば、赤味補正は１倍から２．２倍まで変位させることができ、青味補正は１倍から−２．２倍まで変位させることができる。すなわち、カーソルＣ２が中間位置よりも右にあれば、表示されている画像は赤側に変移していることになり、カーソルＣ２が中間位置よりも左にあれば、表示されている画像は青側に変移していることになる。
【００４０】
図３に戻る。画像補正情報であるインジケータＰ１とインジケータＰ２が表示されているときに、スイッチＳＷ７とスイッチＳＷ１０を操作して露出の補正操作を行うと、それに応じてカーソルＣ１が移動する。移動した位置に対応する露出量が選択される（Ｓ４）。選択された露出量に応じてＬＣＤモニタ１０に表示されている画像の明るさを変更し、選択された露出量に対応する色味量（ゲイン係数）を選択して、表示されている画像の明るさと色味を変更する。
【００４１】
露出補正量と色味量（ゲイン係数）は、例えば図６に示すようなテーブル情報として撮像装置１のＲＯＭ１０８に記憶されている。図６において、露出補正量［ＥＶ］の値に対応して赤（Ｒ）成分と青（Ｂ）成分のゲイン係数が規定されている。露出補正量が０ＥＶであれば、Ｒ成分とＢ成分のゲイン係数は、ともに１倍である。すなわち、露出の補正が行わなわなければ、色味量の変化もない。露出補正量が−０．５ＥＶになれば、その分、表示画像が暗くなるので、全体として青傾向になる。これを補正するために色味量のうちＲ成分のゲイン係数だけを大きくする。例えば１．２倍にする。このとき青成分のゲイン係数は１倍のままとする。また、露出補正量をさらに小さくすれば、それに応じてＲ成分のゲイン係数が大きくなる。
【００４２】
露出補正量が＋０．５ＥＶになれば、多少ではあるが、表示画像が赤傾向になるので、これを補正するために色味量のうちＢ成分のゲイン係数を１．２倍にし、Ｒ成分のゲイン係数は１倍とする。このように、露出の補正によって変化する色味をＲ成分とＢ成分にわけて規定したゲイン係数を用い、露出補正量に応じて設定することができる。よって、補正操作（Ｓ４）によって設定された露出補正量に応じて、色味のゲイン係数が選択されて、このゲイン係数が用いられて、ＬＣＤモニタ１０に表示されている画像の色味を自動的に変化させることができる。
【００４３】
また、表示画像に対する露出と色味の補正に合わせてインジケータＰ１とインジケータＰ２の表示も自動的に変化させる（Ｓ５）。図７においてインジケータＰ１のカーソルＣ１１とインジケータＰ２のカーソルＣ２１は、補正操作処理（Ｓ４）の前の状態を示している。補正操作（Ｓ４）において、利用者がＳＷ１０を操作することにより露出の補正がなされてカーソルＣ１の位置にされたとする。そうすると、露出補正量は−１．５ＥＶとなる。図６に示すように露出補正量が−１．５ＥＶのときは、Ｒ成分のゲイン係数が１．６倍となる。よって、インジケータＰ２のカーソルの位置は、カーソルＣ２１の位置から、Ｒ成分のゲイン係数（１・６倍）に当たる右方向に３ずれたカーソルＣ２の位置に表示される（Ｓ５）。これによって、色味が自動的に補正されていることを利用者が認識することができる。なお、図７に示したカーソルＣ１１とカーソルＣ２１は説明の便宜のために表したものであり、本発明に係る撮像装置において、Ｃ１とＣ１１、Ｃ２とＣ２１とが同時に表示されることはない。
【００４４】
次に、レリーズスイッチＳＷ１が押下されると（Ｓ６のＹ）、そのとき選択されている露出量とゲイン係数が設定され（Ｓ７）、設定された露出量と色味量によって撮像処理が行われる（Ｓ８）。また、レリーズスイッチＳＷ１が押下されず（Ｓ６のＮ）、利用者がＯＫスイッチＳＷ１２（図１参照）を押下すると（Ｓ９のＹｅｓ）、そのときに選択されている露出量とゲイン係数が、次回の「画像補正」時の初期値として設定される（Ｓ１０）。利用者がＯＫスイッチＳＷ１２を押下せずに、スイッチＳＷ８とスイッチＳＷ１１を操作して、自動的に設定された色味量を手動で変更することができる（Ｓ９のＮ、Ｓ４）。例えば、露出を−１．５ＥＶに設定したが、色味量の設定は、若干の青傾向にしたいとき、図８に例示するようにカーソルＣ２を左方向に移動させることができる。また、色味量の補正があったとき、図６の表に基づいて自動的に露出を補正するようにしてもよい。
【００４５】
このように、本実施例に係る撮像装置によれば、露出の補正を行うと、それに連動して自動的に色味量を補正することができる。また、自動的に補正された色味量を利用者が手動で変更するときは、露出の補正量を設定する画面表示に同時に表示されている色味量のインジケータを操作することができるので、設定画面を切り換える必要がない。
【００４６】
以上のように、本発明に係る撮像装置によれば、露出補正によって変化する撮影画像の色味を、露出補正に連動して自動的に変更し、変更した画像を表示装置において視認でき、さらに、自動的に変更された色味を利用者が手動で変更するときは、露出設定画面から切り換えることなく、同じ設定画面において色味量の設定を変更することができるので、撮影条件に係るパラメータ(露出)と画像処理に係るパラメータ(色味量)の最適な設定を容易に行うことができる。また、ＬＣＤ１０をタッチパネルとし、インジケータＰ１とインジケータＰ２を指でタッチ操作するようにしてもよい。
【産業上の利用可能性】
【００４７】
本発明に係る撮像装置および撮像方法は、デジタルカメラをはじめとして、携帯電話に組み込まれたカメラ、その他の各種カメラにおいて、モニタリング機能を備えるものに適用可能である。
【符号の説明】
【００４８】
１０  ＬＣＤモニタ
【先行技術文献】
【特許文献】
【００４９】
【特許文献１】特開２００５−０６２３７０号公報
【図１】
0005817131.tif 000002
【図２】
0005817131.tif 000003
【図３】
0005817131.tif 000004
【図４】
0005817131.tif 000005
【図５】
0005817131.tif 000006
【図６】
0005817131.tif 000007
【図７】
0005817131.tif 000008
【図８】
0005817131.tif 000009